(57)【要約】【課題】封緘フィルムが、透湿性非透視性フィルムの上面に対して確実に封着されていることが外観観察により簡単に看取できる除湿器封緘体を提供すること。【解決手段】上面が開口し、周壁上端にフランジ部が設けられた容器に潮解性吸湿剤が内蔵されており、該上面開口部に透湿性非透水性シートが被覆されてなる除湿器において、該透湿性非透水性シートの上面に、ヘイズが小さい透明樹脂フィルムからなる封緘フィルムを、上記フランジ部上で熱融着することにより封着させてなる除湿器封緘体。【選択図】　図１
2004050087.tif 000002
【特許請求の範囲】
【請求項１】
上面が開口し、周壁上端にフランジ部が設けられた容器に潮解性吸湿剤が内蔵されており、該上面開口部に透湿性非透水性シートが被覆されてなる除湿器において、該透湿性非透水性シートの上面に、透明樹脂フィルムからなる封緘フィルムを、上記フランジ部上で熱融着することにより封着させてなる除湿器封緘体。
【請求項２】
封緘フィルムの透湿度が５ｇ／ｍ２・２４ｈｒ以下である請求項１記載の除湿器封緘体。
【請求項３】
透明樹脂フィルムが、延伸ポリプロピレンフィルムである請求項１記載または請求項２記載の除湿器封緘体。
【発明の詳細な説明】
【０００１】
【発明の属する技術分野】
本発明は、潮解性吸湿剤を使用した除湿器の未使用状態における封緘体に関する。
【０００２】
【従来の技術】
冷暖房の効率化や省エネルギー、或いは騒音対策などの観点から、一般住宅や事務所などの気密化がはかられ、それにともなって湿気に起因するカビの発生その他が問題として提起されている。このため、上面が開口する容器に潮解性吸湿剤が内蔵されてなり、上面開口部に透湿性非透水性シートが被覆されてなる除湿器が広く使用されるに至っている。こうした除湿器では、外気中の湿気は、上記透湿性非透水性シートを通過して除湿器内に流入し、潮解性吸湿剤に吸湿されるため、設置空間の湿度を低く保つことができる。また、吸湿により生じた潮解性吸湿剤の潮解液は、該透湿性非透水性シートを通過できないため、誤って容器が転倒した際にもこれが外部に漏出する心配がなく、高い信頼性をもって使用できるという利点も有している。
【０００３】
ところで、こうした構造の除湿器において、生産後から使用開始されるまでの保存及び移送期間は、外気が除湿器内に流入して除湿が進行しないように、前記透湿性非透水性シートの上面を、透湿性の低い封緘フィルムにより封緘しておくのが一般的である。この封緘フィルムの封緘は、除湿器容器として、周壁上端にフランジ部が設されたものを用い、該フランジ部上で、封緘フィルムを該透湿性非透水性シートの上面に、易開封性の剥離強度で熱融着して封着することにより行われる。しかして、このような除湿器封緘体では、使用時において、上記封緘フィルムを透湿性非透水性シートより手で剥がして容器を開封することにより、除湿が開始される。
【０００４】
従来、こうした除湿器の封緘に使用される封緘フィルムとしては、ガスバリアー性フィルムとして最も汎用的な存在である、延伸ポリプロピレンフィルム等の樹脂フィルムにアルミニウムを蒸着したフィルムや、同じく樹脂フィルム、或いは紙基材にアルミニウム箔を積層したフィルムが使用されている。
【０００５】
【発明が解決しようとする課題】
こうした除湿器の封緘フィルムとして使用されている従来のガスバリアー性フィルムは、優れた湿気の遮断性を有するものの、いずれも光沢のある銀色を呈しており、透視性については全くない。従って、該封緘フィルムの透湿性非透水性シートの上面に対する接着状態は、除湿器封緘体の上方からの観察では不明であり、前記フランジ部上での熱融着において部分的に接着不良部分があってもこれを看取することはできない。すなわち、こうした接着の不良品は、除湿器の生産工程である程度の割合で発生し、また、除湿器の保存中においてもその上面に強い外力が加わった際などに、部分的な剥離が生じて発生してしまうが、これらは、除湿器を手にとってその上面を手でさわって接着不良による微妙な浮き上がり等を感じ取らなければ確認できず、大変解りづらかった。
【０００６】
しかして、このように透湿性非透視性のフィルムの上面において、封緘フィルムの接着不良部分があると、除湿器においては以下の特有の問題が発生する。
１）この接着不良部分から外気の容器内への流入が生じ、未開封状態において潮解性吸湿剤の吸湿・潮解が進行してしまう。
２）封緘フィルムは、除湿器の開封時において透湿性非透水性シートから手で簡単に剥がせなければいけないため、その剥離強度はあまり強くできない。このため、前記フランジ部上の全周にわたって均一に上記封緘フィルムの接着が行われていないと、封緘体の保存中に、容器上面に外力が加わった際に、この接着不良部分を起点として該封緘フィルムが剥離除去され易くなる。特に、これら除湿器は、容器上端に、さらに、通気孔が多数形成された保護キャップを被嵌するのが一般的であり、その際に容器上面には強い外力が不均一に掛かり易く、このように接着不良部分があると、上記封緘フィルムの剥離が格別に発生し易い。
【０００７】
これらの問題は前記構造の除湿器に限って特有に存在する問題である。したがって、除湿器封緘体では、封緘フィルムが、透湿性非透視性フィルムの上面において、容器のフランジ部の全周上に確実に熱融着されていることが極めて大切であり、前記したように封緘体の外観観察ではその接着状態の観察が困難な状況は、上記不良品を市場に流通させる原因となり改善が必要であった。
【０００８】
【課題を解決するための手段】
本発明によると、上記の課題は、次のようにして解決される。
（１）上面が開口し、周壁上端にフランジ部が設けられた容器に潮解性吸湿剤が内蔵されており、該上面開口部に透湿性非透水性シートが被覆されてなる除湿器において、該透湿性非透水性シートの上面に、透明樹脂フィルムからなる封緘フィルムを、上記フランジ部上で熱融着することにより封着させて除湿器封緘体を得る。
（２）上記除湿器封緘体において、封緘フィルムの透湿度を５ｇ／ｍ２・２４ｈｒ以下とする。
（３）上記除湿器封緘体において、透明樹脂フィルムとして、延伸ポリプロピレンフィルムを使用する。
【０００９】
【発明の実施の形態】
本発明の除湿器では、透湿性非透水性シートの上面に、封緘フィルムとして透明樹脂フィルムを封着する。その結果、本発明の除湿器封緘体では、容器のフランジ部上において、該封緘フィルムの透湿性非透水性シートに対する接着状態が、容器上面を目視することにより簡単に観察できる。そして、該フランジ部の全周上において、封緘フィルムに接着不良部分が生じていると、該部分は気泡として、接着面とは異なる色相を呈しているため、その存在を明確に看取できる。
【００１０】
本発明において上記封緘フィルムは、ＪＩＳ　Ｋ７１０５に準じて測定したヘイズが７％以下、好適には１〜５％の透明なものが使用される。ヘイズが上記値より大きいものは透明性が十分でなく、封緘フィルムと透湿性非透水性シートとの接着不良部分の視認性が低下する。
【００１１】
また、十分な封緘性を発揮させるためには封緘フィルムは、透湿度が５ｇ／ｍ２・２４ｈｒ以下のものを使用するのが好ましい。一般に、除湿器の使用保障期間は１〜２年程度であり、この期間、除湿器使用時の実質的な吸湿性能が損なわれることがないように、容器内への外気の流入を防止するには、上記透湿度の上限値を満足した封緘フィルムを用いれば十分である。より高度に外気の流入を防止するためには、封緘フィルムは、透湿度が０．１〜３ｇ／ｍ２・２４ｈｒ１〜１０であるのが好ましい。
【００１２】
こうした物性を満足するフィルムとしては、ポリプロピレン、ポリエチレン等のポリオレフィン；ポリエチレンテレフタレート等のポリエステル；ポリスチレンなどの延伸フィルムが好ましく用いられる。より好適には、上記物性の良好さ、融点の高さ、及び機械的強度の良好さ等から、延伸ポリプロピレンフィルムが好ましく用いられる。延伸は、一軸延伸であっても良いが二軸延伸が好ましく、延伸倍率は、面積倍率で５〜７０倍、好適には４０〜６０倍が好ましい。これらの樹脂からなるフィルムの厚みは、通常、２０〜５０μであるのが好ましい。
【００１３】
上記樹脂からなる封緘フィルムの透湿性非透水性シートへの熱融着は、公知の融着方法が何等制限されることなくなく採用できる。具体的には、上記樹脂フィルムの基材層の少なくとも片面にヒートシール性樹脂層を形成させ、該ヒートシール性樹脂層を溶融させて透湿性非透水性シートに熱融着する方法、又は上記樹脂フィルムを、一般にパートコート剤と呼ばれているもののような公知のホットメルト接着剤を用いて熱融着する方法等が挙げられる。
【００１４】
封緘フィルムの透湿性非透水性シートへの剥離強度は、除湿器の使用時に手で簡単に剥離することができるように、ＪＩＳ　Ｚ１５２６で測定した値で示して１ｋｇ／ｃｍ２以下、好適には５０〜５００ｇ／ｃｍ２であるのが好ましい。なお、封緘フィルムをホットメルト接着剤を用いて熱融着する場合において、該ホットメルト接着剤の剥離強度が上記値より強固である際には、前記樹脂フィルムの基材層の片面に該剥離強度が満足される易剥離性樹脂層を形成させ、該易剥離性樹脂層の上面にホットメルト接着剤を塗布して融着を実施するのが良好である。
【００１５】
本発明の除湿器において透湿性非透水性シートとしては、公知のものが制限なく使用される。通常、透湿度（ＪＩＳ　Ｚ０２０８法による測定）が３，０００〜６，０００ｇ／ｍ２・２４ｈｒ、好ましくは３，５００〜５，５００ｇ／ｍ２・２４ｈｒであり、耐水圧（ＪＩＳ　Ｌ１０９２法による測定）が１０〜２００ＫＰａ、好ましくは５０〜１００ＫＰａであるものが使用される。これらは、充填剤を含有するポリオレフィン等の樹脂シートを延伸して、上記充填材と樹脂相との間で界面剥離を生じさせた微多孔性シートを用いるのが特に好ましい。
【００１６】
以下、本発明の除湿器封緘体を、添付の図面に示した代表的態様により具体的に説明する。
【００１７】
図１は、除湿器の垂直方向での断面図であり、容器（１）は、ポリオレフィン製であり、上面が開口し、周壁上端にフランジ部（２）が設けられた構造をしている。容器の形状は、平面視で、楕円形状、円形状、四角形状等の如何なる形状であっても良い。この容器（１）の内部には、塩化カルシウム、塩化マグネシウム等の潮解性吸湿剤（３）が内蔵されている。この潮解性吸湿剤（３）の容器（１）への内蔵方法は、特に制限されるものではなく、容器底部に直接、或いは内容器や収容皿等に収容した状態で載置しても良い。好適には、潮解液と混ざり合うことを避けるために、図示されるように多数の透孔（４）が穿設された中棚（５）を、除湿器（１）内の、潮解性吸湿剤の実質的全量が潮解した際に溜まる潮解液の液面の高さより上方に設置し、この棚上に載置するのが好ましい。かかる態様の場合、中棚（５）上で潮解した潮解性吸湿剤（３）の潮解液は、前記透孔（４）を通って容器の下部空間へ流下し貯留されて行く。
【００１８】
また、容器（１）は、上面開口部に、容器上面を保護するため、通気孔（６）が形成された保護キャップ（７）が被嵌されている。
【００１９】
上記構造の除湿器において、容器（１）の上面開口部には、誤って容器が転倒した際にも潮解液を外部に漏出させないために、透湿性非透水性シート（８）が被覆されている。しかして、その上面には、さらに、本発明の最大の特徴である透明樹脂フィルムからなる封緘フィルム（９）が、前記容器のフランジ部（２）上で熱融着されており、除湿器は、封緘されている。この封緘フィルム（９）は、通常、ヘイズが７％以下である。また、封緘フィルム（９）は、透湿性非透水性シート（８）に対して、手で容易に剥離できる剥離強度で接着されており、除湿器の使用時には簡単に剥離除去できるものになっている。
【００２０】
この除湿器封緘体では、封緘フィルム（９）が透明であるため、フランジ部（２）上において、透湿性非透水性シート（８）に対して確実な熱融着が行えずに接着不良部分が生じた際には、図２の保護キャップ（６）を外した状態での除湿器封緘体の平面図に示すように、該接着不良部分（１０）が簡単に看取できる。すなわち、フランジ部上の領域（１１）において接着不良部分（１０）は、気泡として、接着部分とは異なる色相をしているため、目視により明確に確認できる。したがって、上記除湿器封緘体では、このような封緘フィルム（８）の接着不良品が簡単に選別でき、これらの不良品が市場に流れることを未然に防止できる。
【００２１】
【発明の効果】
請求項１の発明によれば、除湿器封緘体において、封緘フィルムと透湿性非透水性シートとの接着状態が、容器上面を目視することにより簡単に観察できる。その結果、フランジ部の全周上において、両者の間に、接着不良部分が生じている際には、これが気泡として確認でき、かかる不良品を簡単に選別できる。
【００２２】
したがって、未使用状態において、この周縁の接着不良部分から、外気の容器内への流入が生じ、潮解性吸湿剤の吸湿・潮解が進行してしまうことや、フランジ部上の全周にわたって均一に上記封緘フィルムの接着が行われていないために、封緘体の保存中に、容器上面に外力が加わった際に該封緘フィルムが剥離除去されてしまうこと、等の除湿器固有の問題が防止できる。
【００２３】
請求項２の発明によれば、除湿器封緘体を長期に保存しても、潮解性吸湿剤の実用上の吸湿機能が損なわれるような、容器内への湿気の流入が防止できる。
【００２４】
請求項３の発明によれば、透明性、透湿度、機械的強度等の物性バランスに優れた封緘フィルムを用いた除湿器封緘体が得られる。
【図面の簡単な説明】
【図１】図１は、本発明の代表的態様を示す除湿器封緘体の垂直方向での断面図である。
【図２】図２は、封緘フィルムに接着不良部分がある除湿器封緘体の、保護キャップ（６）を外した状態での平面図である。
【符号の説明】
１；容器
２；フランジ部
３；潮解性吸湿剤
４；透孔
５；中棚
６；通気孔
７；保護キャップ
８；透湿性非透水性シート
９；封緘フィルム
１０；接着不良部分
１１；フランジ部上の領域
【図１】
2004050087.tif 000003
【図２】
2004050087.tif 000004